(57)【特許請求の範囲】
【請求項１】
操作用の取っ手を有する座席（１０）において、
上記座席（１０）は、支持部材（１６）と、上記支持部材（１６）の上にカバー（１９）によって保持され、前記支持部材（１６）の材料より柔軟な材料でできた詰物（１８）とを含んでなり、
上記支持部材（１６）は、開口部（２０）と扉（２２）とを有し、
上記開口部（２０）の少なくとも１つの端部（２４）は、取っ手用の把持端部を形成し、
上記扉（２２）は、上記扉（２２）が上記支持部材（１６）の延長上に位置付けられる閉鎖位置と、少なくとも１つの上記把持端部にアクセス可能な開口位置との間を可動であり、
上記扉（２２）は、上記閉鎖位置において、上記開口部（２０）を塞ぎ、
上記詰物（１８）と、上記把持端部及び上記閉鎖位置にある上記扉（２２）との間に、手または複数の指の挿入を可能にする自由空間が形成され、
上記扉（２２）は、上記開口部（２０）の、上記把持端部を形成する端部以外の端部に連結された回動軸（２８）の周りに回動可能であり、
上記扉（２２）を上記閉鎖位置に維持する維持手段（３０）を有し、
上記詰物（１８）の上記自由空間に対向する面に、前記支持部材（１６）の材料より柔軟な材料でできた強化部材（３２）を設けたことを特徴とする、操作用の取っ手を有する座席。
【請求項２】
上記扉（２２）は、上記開口位置において、上記詰物（１８）の方へ向けられることを特徴とする、請求項１に記載の操作用の取っ手を有する座席。
【請求項３】
上記維持手段（３０）は、上記扉（２２）の上記回動軸（２８）の周りに巻きつけられたバネを含んでなることを特徴とする、請求項１または２に記載の操作用の取っ手を有する座席。
【請求項４】
上記詰物（１８）の、上記支持部材（１６）の上記開口部（２０）に対向する部分の厚さが、当該詰物（１８）の他の部分の厚さに比べて薄くなっていることを特徴とする、請求項１〜３のいずれか１つに記載の操作用の取っ手を有する座席。
【請求項５】
上記詰物（１８）の、上記支持部材（１６）の上記開口部（２０）に対向する部分の厚さと、当該詰物（１８）の他の部分の厚さとが同じであることを特徴とする、請求項１〜３のいずれか１つに記載の操作用の取っ手を有する座席。
【請求項６】
上記開口部（２０）と上記扉（２２）は、上記座席（１０）の着座者の腰部の高さに設けられることを特徴とする、請求項１〜５のいずれか１つに記載の操作用の取っ手を有する座席。
【請求項７】
上記支持部材（１６）の一部から構成される上記把持端部の厚さが、上記支持部材（１６）の他の部分の厚さよりも厚いことを特徴とする、請求項１〜６のいずれか１つに記載の操作用の取っ手を有する座席。
【発明の詳細な説明】
【技術分野】
【０００１】
本発明は、操作用の取っ手を有する座席に関し、特に薄いスポンジの詰物を有する座席に関する。
【背景技術】
【０００２】
座席の操作用の取っ手は、例えば折り畳式の座席に用いられている。  
これらの座席は、固い支持部材と、支持部材に取り付けられたスポンジの詰物を有する。座席の背もたれのための操作用の取っ手は従来から知られている。これらの操作用の取っ手は、固い材料でできて、舟形状をなし、支持部材の中に形成される。従って、操作用の取っ手の舟形状の部分は、着席している人の背中の方向に、スポンジの詰物の中へ向けて突出する。その結果、背もたれの、操作用の取っ手が設けられた高さの個所は固いので、人にとって不快な部分が生じることになるという問題がある。
【発明の開示】
【発明が解決しようとする課題】
【０００３】
本発明の目的は、使用しないときには座席に着席する人に不快な部分をもたらすことのない操作用の取っ手を有する座席を提供して、上記問題を解決することにある。この操作用の取っ手は、座席の背もたれと座部との少なくとも一方に設けることが可能である。
【課題を解決するための手段】
【０００４】
上記目的を達成するため、本発明は、操作用の取っ手を有する座席において、上記座席は、支持部材と、上記支持部材の上にカバーによって保持され、前記支持部材の材料より柔軟な材料でできた詰物とを含んでなり、上記支持部材は、開口部と扉とを有し、上記開口部の少なくとも１つの端部は、取っ手用の把持端部を形成し、上記扉は、上記扉が上記支持部材の延長上に位置付けられる閉鎖位置と、少なくとも１つの上記把持端部にアクセス可能な開口位置との間を可動であり、上記扉は、上記閉鎖位置において、上記開口部を塞ぎ、上記詰物と、上記把持端部及び上記閉鎖位置にある上記扉との間に、手または複数の指の挿入を可能にする自由空間が形成され、上記扉は、上記開口部の、上記把持端部を形成する端部以外の端部に連結された回動軸の周りに回動可能であり、上記扉を上記閉鎖位置に維持する維持手段を有し、上記詰物の上記自由空間に対向する面に、前記支持部材の材料より柔軟な材料でできた強化部材を設けたことを特徴とする、操作用の取っ手を有する座席。
【０００５】
また、上記扉は、上記開口位置において、上記詰物の方へ向けられることを特徴とする。
【０００６】
また、上記維持手段は、上記扉の上記回動軸の周りに巻きつけられたバネを含んでなることを特徴とする。
【０００７】
また、上記詰物の、上記支持部材の上記開口部に対向する部分の厚さが、当該詰物の他の部分の厚さに比べて薄くなっていることを特徴とする。
【０００８】
また、上記詰物の、上記支持部材の上記開口部に対向する部分の厚さと、当該詰物の他の部分の厚さとが同じであることを特徴とする。
【０００９】
また、上記開口部と上記扉は、上記座席の着座者の腰部の高さに設けられることを特徴とする。
【００１０】
さらに、上記支持部材の一部から構成される上記把持端部の厚さが、上記支持部材の他の部分の厚さよりも厚いことを特徴とする。
【発明を実施するための最良の形態】
【００１１】
添付図面を参照して本発明を説明する。これらの添付図面において、
図１は、本発明の第１の実施の形態による取っ手を有する背もたれを含んでなる座席の断面図であり、
図２は、本発明の第２の実施の形態による座席の、取っ手の高さにおける断面図であり、
図３は、使用時における図２の取っ手を表わす。
【００１２】
座席１０は、座部１１と背もたれ１２を含んでなる。この背もたれ１２は、回動軸１４の回りに回動可能である。（図１）  
本実施の形態においては、取っ手は座席１０の背もたれ１２に設けられる。  
背もたれ１２は、固い材料でできた支持部材１６と、カバー１９によって支持部材１６の上に保持された柔軟な詰物１８を有する。従って、詰物１８は支持部材１６に固定されず、詰物１８と支持部材１６との間を離すことが可能である。詰物１８は、例えば中実または蜂の巣状のスポンジからなる。
【００１３】
支持部材１６は、扉２２によって塞がれた開口部２０を有する。開口部２０は、手または複数の指の挿入を可能にするのに充分な大きさである。扉２２は、開口部２０の形状に概ね合致する形状を有し、望ましくは支持部材１６と同じ材料で形成される。扉２２は、その閉鎖位置において固い部分が詰物１８及び着座者の背中の方へ突出しないように、図２に示すように支持部材１６の概ね延長上に配置される。
【００１４】
背もたれ１２の頂上の方向へ向けられた開口部２０の上端部２４は、図３に示すように、利用者が指でつかむための把握端部を形成する。利用者は、親指と他の指の間で上端部２４をつかむことができる。上端部２４の先端は、把握を容易にするために、支持部材の他の部分よりも僅かに大きい厚さを有することができる。
【００１５】
扉２２の一端は、扉２２が座席１０の詰物１８に向かって詰物１８を圧縮しながら傾斜可能なように、開口部２０の上端部２４に対向する下端部２６に回動軸２８を介して連結される。詰物１８の圧縮は、図１に破線で示されている。このとき、開口部２０は空いており、自由空間２７が詰物１８と支持部材１６の間に形成され、手または複数の指の挿入を可能にする。
【００１６】
回動軸２８の周囲に巻きつけられたバネ３０が、扉２２を閉鎖位置に維持することを可能にする維持手段を形成する。詰物１８に対向する側からの扉２２の傾斜を妨げるための止め金具またはその他の手段を設けてもよい。このようにして、バネ３０の復元力に逆らって押力を加えることによって扉２２を開けることができ、開口部２０と把持端部（上端部２４）へのアクセスが可能になる。この押力は、図２に矢印Ｆで表わされている。
【００１７】
図２及び図３に示す実施の形態において、詰物１８は、詰物１８の不測の破損を回避し、詰物１８を覆うために取り付けられた柔軟な強化部材３２を有する。このため、強化部材３２は、開口部２０の表面と少なくとも等しい面積の表面上を概ね覆う。しかしながら、詰物１８の、より大きな表面を覆ってもよい。強化部材３２は、例えば詰物１８に接着されたフェルトの一片からなる。摩擦に対する耐久性があり、詰物１８の表面に取り付けることに適したその他の柔軟な材料も使用してもよい。
【００１８】
扉２２が開かれると、扉２２は強化部材３２によりかかるようになり、自由空間２７（図３）を形成するように詰物１８を次第に圧縮し、指を挿入して把持端部を把持することを可能にする。（図１、３）
上記説明した実施の形態においては、詰物１８の開口部２０に対向する部分は、開口部２０に対向して空洞を形成するように、当該詰物（１８）の他の部分に比べて小さい厚さを有する。この配置は、詰物１８の圧縮を限定し、扉２２を開くことを容易にする。  
しかしながら、詰物１８は、扉２２を開くことを妨げない限りは、開口部２０の高さにおいて厚さを薄くしたり厚くすることなく、通常の厚さを有してもよい。この場合、扉２２は、その閉鎖位置において、詰物１８に接触している。
【００１９】
図示された実施の形態においては、取っ手は、座席１０の着座者の腰部の高さに概ね位置付けられている。
【００２０】
勿論、把持端部へのアクセスを可能にするために扉２２を開く他の形態を検討することが可能である。また、扉２２をその閉鎖位置に維持する他の手段を想定することも可能である。把持端部は、開口部２０のどの端部に形成してもよい。
【００２１】
上記説明した取っ手及び考えられるその変形は、座席１０の座部１１、特に座部１１の支持部材１６にも設けることが可能である。
【図１】
0004342448.tif 000002
【図２】
0004342448.tif 000003
【図３】
0004342448.tif 000004